(57)【要約】　　　（修正有）【課題】レーザー光に対する位置ずれと傾斜の程度とを容易に認識できるようにしたレーザー光受光印字装置を提供する。【解決手段】レーザー光受光印字装置は、縦方向表示部５６とそれと交差する横方向表示部と最適位置表示ランプ６２から成る位置表示手段４６を備える。ハウジングの内部に上下一対の第一受光素子６６ａ，６６ｂと、それらの中間位置でかつ左右に備えられる第二受光素子６８と、第一受光素子６６ａ，６６ｂの上下にそれぞれ配置される複数の第三受光素子７０とから成る受光検知手段６４を備える。上下一対の第一受光素子６６ａ，６６ｂと左右一対の第二受光素子６８の所定の適正位置にレーザー光３８が照射された時にのみ最適位置表示ランプ６２を点灯する。適正位置以外にレーザー光３８が照射された時に縦方向表示部５６や横方向表示部の表示ランプ５４に点灯して、適正位置との位置ずれや傾斜具合いを認識させる。【選択図】　　　図５
2004012144.tif 000002
【特許請求の範囲】
【請求項１】
レーザー光を検知する受光検知手段と、その受光検知手段に照射されるレーザー光の位置に応じて印字に最適な位置であるか否かを表示する位置表示手段とを有するレーザー光受光印字装置において、前記受光検知手段が近接して上下に配置した一対の第一受光素子とその一対の第一受光素子の上下の中間位置でその一対の第一受光素子の左右に備えられる第二受光素子とから成り、前記位置表示手段が最適位置表示箇所を含む二次元表示部とその二次元表示部にレーザー光の対応位置を示す位置対応手段とから成り、レーザー光が上下の前記第一受光素子を均等に照射すると共に左右の前記第二受光素子を均等に照射した場合に、前記位置対応手段が前記二次元表示部の前記最適位置表示箇所に合致し、レーザー光が少なくとも上下の前記第一受光素子を均等に照射しないか左右の前記第二受光素子を均等に照射しない場合に、前記位置対応手段が前記二次元表示部の前記最適位置表示箇所以外の箇所を示すことを特徴とするレーザー光受光印字装置。
【請求項２】
前記受光検知手段において、上下に配置した一対の前記第一受光素子の上方並びに下方に複数の第三受光素子を備えたことを特徴とする請求項１記載のレーザー光受光印字装置。
【請求項３】
前記二次元表示部が多数の表示ランプから成る縦方向表示部とそれと交差する多数の表示ランプから成る横方向表示部とから成り、その交差する位置とは異なる位置を前記最適位置表示箇所とし、前記位置対応手段を前記表示ランプの点灯箇所とすることを特徴とする請求項１記載のレーザー光受光印字装置。
【請求項４】
前記縦方向表示部を間隔を開けて２列に配置し、その２列の縦方向表示部に一列の前記横方向表示部を交差させ、前記横方向表示部のうち前記２列の縦方向表示部との２箇所の交差位置との間にある表示ランプを前記最適位置表示箇所とすることを特徴とする請求項３記載のレーザー光受光印字装置。
【請求項５】
前記最適位置表示箇所の表示ランプのみを特定の色とし、それ以外の箇所の表示ランプの色を特定の色とは別の色とすることを特徴とする請求項３記載のレーザー光受光印字装置。
【請求項６】
前記二次元表示部が基準線とその基準線上の基準点を表示した平面状の液晶表示部からなり、前記最適位置表示箇所を前記基準線と前記基準点と設定し、前記位置対応手段を前記液晶表示部に表示される表示線とすることを特徴とする請求項１記載のレーザー光受光印字装置。
【請求項７】
前記受光検知手段へのレーザー光の照射位置により最適位置か否かを発声する音声手段を有することを特徴とする請求項１記載のレーザー光受光印字装置。
【請求項８】
前記二次元表示部を少なくとも２箇所に設けることを特徴とする請求項１記載のレーザー光受光印字装置。
【発明の詳細な説明】
【０００１】
【発明の属する技術分野】
本発明は、レーザー墨出し器からのレーザー光の位置を検知して目印を入れるためのレーザー光受光印字装置に関する。
【０００２】
【従来の技術】
従来から、屋内の建設作業の際に、屋内の壁面等にレーザー光による垂直や水平な線を投射するレーザー墨出し器が使用されている。そのレーザー墨出し器から投射される直線状のレーザー光を受光し、そのレーザー光が当たる位置の壁面に目印を印字するためのレーザー光受光印字装置が、実用新案登録第３０７９６０１号等に提供されている。
【０００３】
そのレーザー光受光印字装置を図１９並びに図２０に示す。レーザー光受光印字装置１０は、ハウジング１２を有し、そのハウジング１２の正面には、全体の電源スイッチ１４と、印字ボタン１６と、レーザー光以外の光を遮断するための受光フィルター１８と、スピーカー２０と、位置表示手段２２とを有する。
【０００４】
位置表示手段２２は、レーザー光に対してこのレーザー光受光印字装置が適正な位置にあることを示す中央の適正位置ランプ２４と、その適正位置ランプ２４より上方にある位置移動指示ランプ２６と、適正位置ランプ２４より下方にある位置移動指示ランプ２８とから成る。上方の位置移動指示ランプ２６と下方の位置移動指示ランプ２８は、レーザー光に対してこのレーザー光受光印字装置が最適な位置ではないがそれに近い位置にあることを示すものである。適正位置ランプ２４は例えば緑色のランプとされ、位置移動指示ランプ２８，３０は例えば赤色のランプとされ、互いに異なる色に設定してある。
【０００５】
図２０に示すように、ハウジング１２の内部に４個の受光素子３０から成る受光検知手段３２が備えられている。４個の受光素子３０は、印字手段３４に取付けられる印を付けるための印字部材３６を中心として左右２箇所に分かれて備えられ、しかも左右のそれぞれは上下に２個に分かれている。
【０００６】
次に、レーザー光が受光素子３０に照射される種々の状態を図２１に示す。レーザー光受光印字装置１０の背面を例えば壁面に接触させた状態で、受光フィルター１８にレーザー光を当てるようにする。ここで、図２１の（ａ）に示すように、レーザー光３８が左右のそれぞれ上方の受光素子３０のみを照射した場合に、位置表示手段２２のうち上方の赤色の位置移動指示ランプ２６が「連続点灯」する。また、図２１の（ｅ）に示すように、レーザー光３８が左右のそれぞれ下方の受光素子３０のみを照射した場合に、位置表示手段２２のうち下方の赤色の位置移動指示ランプ２８が「連続点灯」する。
【０００７】
図２１の（ｂ）または図２１の（ｄ）に示すように、レーザー光３８が左右の上方下方の合計４個の受光素子３０を照射するが、斜めにずれている場合には、位置表示手段２２のうちの緑色の適正位置ランプ２６が「点滅」する。これは、ほぼ適正な位置に近いが最適位置ではないことを示す。最適位置に至らない場合には、スピーカー２０から発声される音声は、例えばブザーの「断続音」とする。
【０００８】
図２１の（ｃ）に示すように、レーザー光３８が左右の上方下方の合計４個の受光素子３０を均等に照射する場合には、位置表示手段２２のうちの緑色の適正位置ランプ２６が「連続点灯」する。これは、最適位置であることを示す。この際、スピーカー２０から発声される音は、例えば「連続音」とする。この図２１の（ｃ）の状態になると印字ボタン１６を押し、印字部材３４がレーザー光受光印字装置の背面より外方に飛び出し、レーザー光受光印字装置の背面に位置する壁面等に印字を行う。図２１の（ａ）（ｂ）（ｄ）（ｅ）の状態では、図２１の（ｃ）の状態になるように、レーザー光受光印字装置を移動させる。
【０００９】
【発明が解決しようとする課題】
この従来のレーザー光受光装置の位置表示手段２２では、適正位置より上方にレーザー光が当たっている場合に、もっと下方にレーザー光を当てるように指示する位置移動指示ランプ２６と、適正位置より下方にレーザー光が当たっている場合に、もっと上方にレーザー光を当てるように指示する位置移動指示ランプ２８とを有している。しかし、この位置表示手段２２は、適正位置でない場合に上下方向の指示のみを示すものであるため、適正位置とどの程度離れているか分らず、かつどの方向にどの程度傾斜しているかが分らないため、上下方向の位置と左右の傾斜角度とを変えて適正位置に合わせるまでに時間がかかるものであった。
【００１０】
更に、従来のレーザー光受光装置では、左右の受光検知手段３２を有するが、レーザー光受光装置を壁面に当てた状態では、レーザー光が左右の受光検知手段３２の片側のみにしか及ばない場合が発生し、このような場合には位置表示手段２２の表示ができないという不具合があった。
【００１１】
本発明は上記の点に鑑みてなされたもので、レーザー光に対して適正な位置関係にない時に、レーザー光に対する位置ずれの程度とレーザー光に対する傾斜の程度とを一目で容易に認識できるようにしたレーザー光受光印字装置を提供することを目的とするものである。
【００１２】
【課題を解決するための手段】
上記目的を達成するために本発明のレーザー光受光印字装置は、レーザー光を検知する受光検知手段と、その受光検知手段に照射されるレーザー光の位置に応じて印字に最適な位置であるか否かを表示する位置表示手段とを有するレーザー光受光印字装置において、前記受光検知手段が近接して上下に配置した一対の第一受光素子とその一対の第一受光素子の上下の中間位置でその一対の第一受光素子の左右に備えられる第二受光素子とから成り、前記位置表示手段が最適位置表示箇所を含む二次元表示部とその二次元表示部にレーザー光の対応位置を示す位置対応手段とから成り、レーザー光が上下の前記第一受光素子を均等に照射すると共に左右の前記第二受光素子を均等に照射した場合に、前記位置対応手段が前記二次元表示部の前記最適位置表示箇所に合致し、レーザー光が少なくとも上下の前記第一受光素子を均等に照射しないか左右の前記第二受光素子を均等に照射しない場合に、前記位置対応手段が前記二次元表示部の前記最適位置表示箇所以外の箇所を示すようにしたものである。
【００１３】
本発明は、前記受光検知手段において、上下に配置した一対の前記第一受光素子の上方並びに下方に複数の第三受光素子を備えるようにしたものである。
本発明は、前記二次元表示部が多数の表示ランプから成る縦方向表示部とそれと交差する多数の表示ランプから成る横方向表示部とから成り、その交差する位置とは異なる位置を前記最適位置表示箇所とし、前記位置対応手段を前記表示ランプの点灯箇所とするようにしたものである。
本発明は、前記縦方向表示部を間隔を開けて２列に配置し、その２列の縦方向表示部に一列の前記横方向表示部を交差させ、前記横方向表示部のうち前記２列の縦方向表示部との２箇所の交差位置との間にある表示ランプを前記最適位置表示箇所とするようにしたものである。
本発明は、前記二次元表示部が基準線とその基準線上の基準点を表示した平面状の液晶表示部からなり、前記最適位置表示箇所を前記基準線と前記基準点と設定し、前記位置対応手段を前記液晶表示部に表示される表示線とするようにしたものである。
【００１４】
【発明の実施の形態】
次に本発明を図面に基づいて説明する。
図１は本発明に係るレーザー光受光印字装置の一実施形態を示す正面側からの斜視図、図２は図１のレーザー光受光印字装置の背面側からの斜視図である。本発明のレーザー光受光印字装置４０は、従来のものと同様に、ハウジング４２の前面には、電源スイッチ１４と、印字ボタン１６と、音声手段であるスピーカー２０を有する。本発明では、レーザー光を通過させるがレーザー光以外の光を遮断するための離れた位置に配置される２個の受光フィルター４４を有する。この受光フィルター４４は従来の受光フィルター１８（図１９）と形状は異なるが、同じ働きをする。本発明が従来のものと外観的に異なる点は、従来の位置表示手段２２（図１９）に代えて、二次元表示部からなる位置表示手段４６を設けたことである。
【００１５】
ハウジング１２の裏面には、図２に示すように、従来と同様のスライド蓋４８が備えられ、そのスライド蓋４８を開くと、印字ボタン１６によって作動する印字手段（図示せず）の印字部材５０が露出するように設定されている点は従来既知のものである。ハウジング１２の裏面には、前記位置表示手段４６と同じ二次元表示部からなる位置表示手段５２を備える。即ち、少なくとも２箇所以上の位置表示手段４６を備える。これによって、どの角度からでも位置表示手段４６，５２を見ることができる。
【００１６】
位置表示手段４６は、図３に示すように、位置対応手段としての多数の表示ランプ５４の集合体から成る。この表示ランプ５４はレーザー光に対応する位置のものが点灯するよう設定される。位置表示手段４６は、多数の表示ランプ５４から構成される２本の並列な縦方向表示部５６（図４では７個の表示ランプ５４）と、２本の縦方向表示部５６における中央位置の表示ランプ５４（上から第４個目の表示ランプ５４）を含み、多数の表示ランプ５４から構成される横方向表示部５８（図４では７個の表示ランプ５４）とから成る。２本の並列な縦方向表示部５６は、１個の表示ランプ５４の幅以上の間隔を開けて、離れて配置されている。多数の表示ランプ５４のうち、縦方向表示部５６と横方向表示部５８とが交差する位置の表示ランプ５４を近似位置表示ランプ６０とし、横方向表示部５８のうち一対の近似位置表示ランプ６０の間に配置される中央の表示ランプ５４を最適位置表示ランプ（最適位置表示箇所）６２とする。このように、縦方向表示部５６と横方向表示部５８とを有するので、位置表示手段４６は二次元方向に表示部（二次元表示部）を有するものである。
【００１７】
ハウジング１２の内部には、各受光フィルター４８を通過したレーザー光を受ける受光検知手段６４（図４）が合計２個備えられている。本発明の受光検知手段６４は、従来の受光検知手段３２（図２０）とは異なるものである。図４に示すように、受光検知手段６４は、近接して上下に配置した一対の第一受光素子６６ａ，６６ｂと、上下一対の受光素子６６ａ，６６ｂの上下の中間位置でその一対の受光素子６６ａ，６６ｂの左右に備えられる第二受光素子６８と上方の中央受光素子６６ａより上方に配置される複数の第三受光素子７０と、下方の受光素子６６ｂより下方に配置される複数の第三受光素子７０とから成る。
【００１８】
第一受光素子６６ａ，６６ｂはそこに照射されるレーザー光の照射面積を図るためのものであり、第二受光素子６８並びに第三受光素子７０はそこにレーザー光が照射されているかどうかを調べるためのものである。第二受光素子６８は更に、それ全体（またはその大部分）がレーザー光に覆われるかどうかを調べるためのものである。レーザー光３８が左右の受光検知手段６４のいずれかの受光素子に照射された場合に、前記位置表示手段４６の表示ランプ５４が点灯するように設定されている。図４に示すように、上下一対の受光素子６６ａ，６６ｂに比べて、第二受光素子６８の大きさが小さいように設定するのが望ましい。また、第二受光素子６８の大きさ（直径）は、そこに照射される一般的なレーザー光３８の幅より小さく設定するのが望ましい。上下一対の第一受光素子６６ａ，６６ｂの少なくとも一方にレーザー光３８は照射された場合に、前記位置表示手段４６において近似位置表示ランプ６０が点灯する。即ち、近似位置表示ランプ６０が点灯すると、適正位置に近いことを示すものである。
【００１９】
次に、本発明に係るレーザー光受光印字装置４０にレーザー光が照射される種々の状態を図５乃至図１０に示す。先ず、図５や図６に示すように、レーザー光３８が左右の受光検知手段６４の第一受光素子６６ａより上方に位置する第三受光素子７０を照射した場合に、位置表示手段４６の２個の縦方向表示部５６において、近似位置表示ランプ６０より上方の表示ランプ５４が点灯する。レーザー光３８が２個の受光検知手段６４に対して斜めに当たる場合には、図５に示すように、２個の縦方向表示部５６における表示ランプ５４の点灯位置（黒く表示される位置）が異なる。この場合には、レーザー光３８が斜め当たっていることを示すものである。ここで、表示ランプ５４の点灯位置が近似位置表示ランプ６０より離れているほど、レーザー光３８が適正位置より離れていることを示す。
【００２０】
図６に示すように、２個の縦方向表示部５６における表示ランプ５４の点灯位置が同じであれば、レーザー光３８が２個の受光検知手段６４に対して平行に当たっていることを示すものである。近似位置表示ランプ６０が点灯していない場合には、レーザー光３８は上下一対の第一受光素子６６ａ，６６ｂには照射されておらず、適正位置よりまだ遠い位置であることを示すものである。
【００２１】
次に、レーザー光３８が適正位置に近い状態を図７並びに図８に示す。図７並びに図８においては、左右の受光検知手段６４においてそれぞれ上方の受光素子６６ａにレーザー光３８が照射される状態を示すものである。受光検知手段６４においては、上下一対の第一受光素子６６ａ，６６ｂの少なくとも１つでしかも所定広さにレーザー光３８が照射されると、近似位置表示ランプ６０が点灯する。第一受光素子６６ａ，６６ｂへのレーザー光３８の照射面積が広くなると、横方向表示部５８における表示ランプ５４の点灯の数が増加する。即ち、近似位置表示ランプ６０の位置より外側に位置する表示ランプ５４が点灯する。
【００２２】
図７に示すように、レーザー光３８が左右の受光検知手段６４に斜めに照射されて、しかも左右の上方の受光素子６６ａに照射されるレーザー光３８の照射面積が異なると、左右の近似位置表示ランプ６０の位置より外側に点灯する表示ランプ５４の数が異なる。これによって、レーザー光３８は左右の受光検知手段６４に斜めに照射されていることが分る。図８は、左右の近似位置表示ランプ６０の位置より外側に点灯する表示ランプ５４の数が同じであるので、レーザー光３８は傾斜はしていない状態で照射されていることが分る。しかし、横方向表示部５８の両端の表示ランプ５４は点灯しない。これは、上下一対の第一受光素子６６ａ，６６ｂの両方にかかるようにレーザー光３８が照射されていないことを示す。即ち、上下一対の第一受光素子６６ａ，６６ｂの両方で、しかも所定以上の面積にレーザー光３８が照射される場合に、横方向表示部５８の両端の表示ランプ５４が点灯するように設定されている。
【００２３】
図９は、レーザー光３８は２個の受光検知手段６４のほぼ適正位置に近いが、やや傾斜した状態でレーザー光３８が照射する状態を示す。図９では、上下一対の第一受光素子６６ａ，６６ｂの両方にレーザー光３８が照射されるが、右側の受光検知手段６４の第一受光素子６６ａ，６６ｂへのレーザー光３８の照射量が、左側の受光検知手段６４の第一受光素子６６ａ，６６ｂへのレーザー光３８の照射量より多いため、横方向表示部５８の右端の表示ランプ５４は点灯するが、横方向表示部５８の左端の表示ランプ５４は点灯しない。これによって、図９の状態では、レーザー光３８と２個の受光検知手段６４とはほぼ適正位置に近いが、レーザー光３８は右上がりにやや傾斜した状態に照射していることを示す。
【００２４】
図９の状態では、一対の第一受光素子６６ａ，６６ｂの両側に位置する第二受光素子６８の全てにレーザー光３８が照射されるが、レーザー光３８は右上がりにやや傾斜しているため、全ての第二受光素子６８がレーザー光３８によって全面的に覆われるということではない。レーザー光３８が上下の第一受光素子６６ａ，６６ｂのいずれかに偏って照射される場合か、第二受光素子６８の全体がレーザー光３８で覆われない場合には、横方向表示部５８における中央の最適位置表示ランプ６２は点灯しない。
【００２５】
図９の状態からレーザー光受光印字装置４０を傾斜させると、レーザー光３８が２個の受光検知手段６４の上下の第一受光素子６６ａ，６６ｂに均等に照射される場合がある。この状態を図１０に示す。図１０では、全ての第二受光素子６８の全体がレーザー光３８で覆われる。このように、各受光検知手段６４の上下の第一受光素子６６ａ，６６ｂに均等にレーザー光３８が照射されると共に、全ての第二受光素子６８がレーザー光３８で覆われる場合に、レーザー光受光印字装置４０がレーザー光３８に対して最適な位置にあるとして、最適位置表示ランプ６２を点灯させる。この最適位置表示ランプ６２が点灯した状態で印字ボタン１６を押すことで、印字部材５０がレーザー光受光印字装置４０の背面より外方に飛び出し、レーザー光受光印字装置４０の背面に位置する壁面等に印字を行うことができる。なお、位置表示手段４６の多数の表示ランプ５４のうち、最適位置表示ランプ６２のみを特定の色（例えば緑色）とし、それ以外の表示ランプ５４の色を特定の色とは別の色とするのが望ましい。また、最適位置表示ランプ６２が点灯した場合にのみ、スピーカー２０から連続音を出し、それ以外の場合には、断続音を出すようにしても良い。
【００２６】
次に、図１１乃至図１３に他の位置表示手段を示す。位置表示手段７２は、図３の位置表示手段４６に代わるもので、位置表示手段７２も二次元の表示部を有するものである。二次元表示部は、１枚の四角い例えば液晶表示部７４を有する。この液晶表示部７４には、中央で交差する縦線７６と横線である基準線７８と、基準線７８の上に基準点８０（縦線７６との交点）とを有するものである。この液晶表示部７４には、受光検知手段６４に照射されるレーザー光３８の位置を示すための表示線（位置対応手段）８２が表示される。この位置表示手段７２では、表示線８２が基準点８０を含む基準線７８と合致する位置を最適位置表示箇所とする。図１１は、レーザー光３８が各受光検知手段６４における上方の第一受光素子６６ａより上方位置の第三受光素子７０のみを照射した状態を示す。この場合、液晶表示部７４に示される表示線８２は、基準線７８と平行ではあるが、基準線７８より上位に位置する。この場合は、レーザー光受光印字装置４０はレーザー光３８に対して平行ではあるが、レーザー光３８に対して低い位置にあることを示す。
【００２７】
次に、図１２のように、レーザー光３８が左右の受光検知手段６４に対して斜めに照射した場合に、液晶表示部７４において表示線８２は、レーザー光３８と同様斜めに表示される。図１２では、表示線８２は基準点８０の付近を通過しているので、レーザー光３８は中心位置に近く、傾斜しているとういことが分る。その後、レーザー光受光印字装置４０の傾きを調整して、図１３の状態にする。図１３では、各受光検知手段６４の上下の第一受光素子６６ａ，６６ｂに均等にレーザー光３８が照射され、各受光検知手段６４の全ての第二受光素子６８がレーザー光３８で覆われる。この場合に、液晶表示部７４において表示線８２は基準線７８（基準点８０を含む）と重なる。このように、表示線８２が基準線７８と重なった状態となることで、レーザー光受光印字装置４０がレーザー光３８に対して最適な位置にあることを示すものである。この位置表示手段７２によれば、二次元の表示部である液晶表示部７４にレーザー光３８を表示線８２として示すことで、その表示線８２が基準線７８に合わない場合に、ずれの程度と傾斜の程度とを容易に認識することができ、ずれや傾斜を容易に矯正することができる。
【００２８】
本発明では、１個の受光検知手段６４を用いても、印字最適位置を位置表示手段４６，５２に表示することができる。これを、図１４乃至図１８に基づいて説明する。レーザー光受光印字装置４０にレーザー光３８が照射される場合に、レーザー光受光印字装置４０の位置によっては、一方の受光検知手段６４のみにしかレーザー光３８が照射されない場合が発生する。図１４乃至図１８では、片方の受光検知手段６４にはレーザー光が照射するが、もう片方の受光検知手段６４にはレーザー光が照射しない状態を示す。図１４に示すように、片方の受光検知手段６４の第三受光素子７０にレーザー光３８が照射されると、位置表示手段４６の片方の縦方向表示部５６に表示ランプ５４が点灯する。次に、図１５，図１６及び図１７に示すように、上下の第一受光素子６６ａ，６６ｂの少なくともいずれかにレーザー光３８が照射される（但し適正位置ではない）と、横方向表示部５８の１個の近似位置表示ランプ６０とそれより外側の表示ランプ５４が点灯する。
【００２９】
レーザー光３８が１個の受光検知手段６４の上下の第一受光素子６６ａ，６６ｂに均等に照射される状態を図１８に示す。この場合には、２個の第二受光素子６８がレーザー光３８で覆われる。このように、１個の受光検知手段６４の上下の第一受光素子６６ａ，６６ｂに均等にレーザー光３８が照射され、しかも左右２個の受光検知手段６４がレーザー光３８で覆われる場合に、レーザー光受光印字装置４０がレーザー光３８に対して最適な位置にあるとして、最適位置表示ランプ６２を点灯させる。この状態では、横方向表示部５８の１個の近似位置表示ランプ６０とそれより外側の表示ランプ５４も共に点灯する。このように、片側の受光検知手段６４のみにしかレーザー光３８が照射されない場合には、片側の縦方向表示部５６と、その縦方向表示部５６に含まれる１個の近似位置表示ランプ６０と、それより外側の横方向表示部５８の表示ランプ５４と、最適位置表示ランプ６２とが点灯する。
【００３０】
もし、上方の第一受光素子６６ａと下方の第一受光素子６６ｂとに等しい面積でレーザー光３８が照射されても、レーザー光３８が傾斜している場合には、２個の第二受光素子６８がレーザー光３８で覆われることはない。従って、上下の第一受光素子６６ａ，６６ｂの左右の２個の第二受光素子６８がレーザー光３８によって覆われることが、最適な位置にあるとして、最適位置表示ランプ６２を点灯させる条件となる。
図５乃至図１０並びに図１１乃至図１３においては、左右２個の受光検知手段６４を備えているものを示したが、図１４乃至図１８に示すように１個の受光検知手段６４を用いても印字を行うことが可能になる。しかし、左右どちらかだけにレーザー光３８が照射されても機能できることから、左右２個の受光検知手段６４を備えることが望ましい。
【００３１】
なお、前記実施形態において、「縦方向表示部５６や横方向表示部５８」のように「縦横」という表現を用い、「上下の第一受光素子６６ａ，６６ｂ」のように「上下」という表現を用い、「左右２個の受光検知手段６４」のように「左右」という表現を用いたが、「縦横」や「上下」や「左右」という表現は相対的で便宜上のものであり、入れ換えが可能であり、しかもそれらの表現の内容に限定されるものではない。
【００３２】
【発明の効果】
以上のように、本発明に係るレーザー光受光印字装置によれば、従来のものではレーザー光と最適な印字可能位置との位置関係が上下方向にずれているかどうかしか判別できなかったが、本発明ではレーザー光と最適な位置関係がどの程度ずれているかが明確に分る。また、レーザー光と最適な位置関係とが傾斜している場合も、どちらの方向に傾斜しているかが明確に分る。この結果、本発明ではレーザー光を最適な印字可能位置に素早く合わせることが可能になり、作業性を向上させることができる。
また、従来では左右２箇所の受光検知手段にレーザー光が照射されないと、位置表示手段に表示ランプがつかなかったが、本発明では、一方の受光検知手段にレーザー光が照射されるだけで、レーザー光と最適な印字可能位置とのずれを表示することができ、レーザー光がレーザー光受光印字装置の一部にしか届かない場所においても使用することができる。
【図面の簡単な説明】
【図１】本発明に係るレーザー光受光印字装置の一実施形態を示す正面側斜視図である。
【図２】図１の背面側斜視図である。
【図３】本発明に用いる位置表示手段を示す正面図である。
【図４】本発明に用いる受光検知手段を示す正面図である。
【図５】レーザー光が照射する２個の受光素子とそれに対応して点灯する表示ランプから成る位置表示手段とを示す関係図である。
【図６】レーザー光が照射する２個の受光素子とそれに対応して点灯する表示ランプから成る位置表示手段とを示す関係図である。
【図７】レーザー光が照射する２個の受光素子とそれに対応して点灯する表示ランプから成る位置表示手段とを示す関係図である。
【図８】レーザー光が照射する２個の受光素子とそれに対応して点灯する表示ランプから成る位置表示手段とを示す関係図である。
【図９】レーザー光が照射する２個の受光素子とそれに対応して点灯する表示ランプから成る位置表示手段とを示す関係図である。
【図１０】レーザー光が照射する２個の受光素子とそれに対応して点灯する表示ランプから成る位置表示手段とを示す関係図である。
【図１１】レーザー光が照射する２個の受光素子とそれに対応して表示する液晶表示部から成る位置表示手段とを示す関係図である。
【図１２】レーザー光が照射する２個の受光素子とそれに対応して表示する液晶表示部から成る位置表示手段とを示す関係図である。
【図１３】レーザー光が照射する２個の受光素子とそれに対応して表示する液晶表示部から成る位置表示手段とを示す関係図である。
【図１４】レーザー光が照射する１個の受光素子とそれに対応して点灯する表示ランプから成る位置表示手段とを示す関係図である。
【図１５】レーザー光が照射する１個の受光素子とそれに対応して点灯する表示ランプから成る位置表示手段とを示す関係図である。
【図１６】レーザー光が照射する１個の受光素子とそれに対応して点灯する表示ランプから成る位置表示手段とを示す関係図である。
【図１７】レーザー光が照射する１個の受光素子とそれに対応して点灯する表示ランプから成る位置表示手段とを示す関係図である。
【図１８】レーザー光が照射する１個の受光素子とそれに対応して点灯する表示ランプから成る位置表示手段とを示す関係図である。
【図１９】従来のレーザー光受光印字装置を示す斜視図である。
【図２０】従来のレーザー光受光印字装置の要部を示す断面図である。
【図２１】従来のレーザー光受光印字装置におけるレーザー光照射位置とそれに対応して点灯する位置表示手段とを示す関係図である。
【符号の説明】
２０　スピーカー
３８　レーザー光
４０　レーザー光受光印字装置
４２　ハウジング
４６　位置表示手段
５２　位置表示手段
５４　表示ランプ
５６　縦方向表示部
５８　横方向表示部
６０　近似位置表示ランプ
６２　最適位置表示ランプ
６４　受光検知手段
６６ａ　第一受光素子
６６ｂ　第一受光素子
６８　第二受光素子
７０　第三受光素子
７２　位置表示手段
７４　液晶表示部
７８　基準線
８０　基準点
８２　表示線
【図１】
2004012144.tif 000003
【図２】
2004012144.tif 000004
【図３】
2004012144.tif 000005
【図４】
2004012144.tif 000006
【図５】
2004012144.tif 000007
【図６】
2004012144.tif 000008
【図７】
2004012144.tif 000009
【図８】
2004012144.tif 000010
【図９】
2004012144.tif 000011
【図１０】
2004012144.tif 000012
【図１１】
2004012144.tif 000013
【図１２】
2004012144.tif 000014
【図１３】
2004012144.tif 000015
【図１４】
2004012144.tif 000016
【図１５】
2004012144.tif 000017
【図１６】
2004012144.tif 000018
【図１７】
2004012144.tif 000019
【図１８】
2004012144.tif 000020
【図１９】
2004012144.tif 000021
【図２０】
2004012144.tif 000022
【図２１】
2004012144.tif 000023